【手続補正書】
【提出日】平成17年2月4日(2005.2.4)
【手続補正１】
【補正対象書類名】明細書
【補正対象項目名】発明の名称
【補正方法】変更
【補正の内容】
【発明の名称】データ管理装置、データ読取装置及び情報管理システム
【手続補正２】
【補正対象書類名】明細書
【補正対象項目名】特許請求の範囲
【補正方法】変更
【補正の内容】
【特許請求の範囲】
【請求項１】
半導体記憶部からなる第１の記憶部と、動的記憶部からなり固定データが記憶された第２の記憶部とを備えた記憶媒体にデータを記憶させるとともにデータを読み出すデータ管理装置であって、
前記記憶媒体をネットワークを介してインターネット上のサーバシステムに接続する接続手段と、
前記第１の記憶部に前記サーバシステムから読み込んだ前記固定データに関連付けられた変動データを記憶させる記憶制御手段と、
前記第２の記憶部から前記変動データに対応する前記固定データを読み出す読出手段とを備えることを特徴とするデータ管理装置。
【請求項２】
半導体記憶部からなる第１の記憶部と、動的記憶部からなりコンテンツデータが記憶された第２の記憶部とを備えた記憶媒体にデータを記憶させるとともにデータを読み出すデータ管理装置であって、
前記第１の記憶部に前記コンテンツデータに関連付けられた検索用データを記憶させる記憶制御手段と、
前記第２の記憶部から前記検索用データに対応する前記コンテンツデータを読み出す読出手段と
を備えることを特徴とするデータ管理装置。
【請求項３】
半導体記憶部からなり情報を記憶する第１の記憶部と、動的記憶部からなり詳細データが記憶された第２の記憶部とを備えた記憶媒体にデータを記憶させるとともにデータを読み出すデータ管理装置であって、
前記第１の記憶部に前記詳細データに関連付けられた見出し情報を記憶させる記憶制御手段と、
前記第２の記憶部から前記見出し情報に対応する前記詳細データを読み出す読出手段とを備えることを特徴とするデータ管理装置。
【請求項４】
半導体記憶部からなり情報を記憶する第１の記憶部と、動的記憶部からなり圧縮されていない高品位データが記憶された第２の記憶部とを備えた記憶媒体にデータを記憶させるとともにデータを読み出すデータ管理装置であって、
前記第１の記憶部に、前記高品位データに関連付けられた圧縮データを記憶させる記憶制御手段と、
前記第２の記憶部から前記圧縮データに対応する前記高品位データを読み出す読出手段と
を備えることを特徴とするデータ管理装置。
【請求項５】
半導体記憶部からなり情報を記憶する第１の記憶部と、動的記憶部からなり高品位画像データが記憶された第２の記憶部とを備えた記憶媒体にデータを記憶させるとともにデータを読み出すデータ管理装置であって、
前記第１の記憶部に前記高品位画像データに関連付けられ、情報量を減じられたサムネイルデータを記憶させる記憶制御手段と、
前記第２の記憶部から前記サムネイルデータに対応する前記高品位画像データを読み出す読出手段と
を含むことを特徴とするデータ管理装置。
【請求項６】
前記記憶制御手段は、前記第１の記憶部に記憶媒体のセキュリテイ情報を更に記憶させることを特徴とする請求項２から５のいずれかに記載のデータ管理装置。
【請求項７】
前記記憶媒体のセキュリテイ情報は、個人認証コード及び記憶媒体のコピー禁止情報を含むことを特徴とする請求項６記載のデータ管理装置。
【請求項８】
記憶制御手段は、前記第１の記憶部に前記コンテンツデータのセキュリテイ情報を記憶させることを特徴とする請求項２から５のいずれかに記載のデータ管理装置。
【請求項９】
前記コンテンツデータのセキュリテイ情報は前記記憶媒体に記憶されているコンテンツのコピー禁止情報を含むことを特徴とする請求項８記載のデータ管理装置。
【請求項１０】
半導体記憶部からなる第１の記憶部と動的記憶部からなる第２の記憶部とを有し、前記第２の記憶部には無料コンテンツデータと有料コンテンツデータが記憶されており、前記第１の記憶部には前記無料及び有料コンテンツデータを利用するための情報が記憶されている記憶媒体からデータを読み取るデータ読取装置であって、
前記無料及び有料コンテンツデータを読み取り可能な読取手段と、
前記記憶媒体の第１の記憶部に記憶されている情報を参照して前記有料コンテンツデータの前記読取手段による読み取りを禁止する禁止手段と、
前記記憶媒体の第１の記憶部に記憶されている情報を参照して所定の手続処理に応じて前記有料コンテンツの前記読取手段による読み取りを許可する許可手段と
を備えることを特徴とするデータ読取装置。
【請求項１１】
前記記憶媒体を、インターネットを介してセンターのサーバシステムに接続する接続手段を備えていることを特徴とする請求項１０記載のデータ読取装置。
【請求項１２】
半導体記憶部からなる第１の記憶部と動的記憶部からなる第２の記憶部とを有し、前記第２の記憶部には無料コンテンツデータと有料コンテンツデータが記憶されており、前記第１の記憶部には前記無料及び有料コンテンツデータを利用するための情報が記憶されている記憶媒体からデータを読み取る読取装置とで構成される情報管理システムであって、
前記記憶媒体と前記読取装置のいずれか一方に、
前記記憶媒体の第１の記憶部に記憶されている情報を参照して前記読取装置による前記無料コンテンツデータの読み取りは許可するが前記有料コンテンツデータは読取りを禁止する禁止手段と、
前記記憶媒体の第１の記憶部に記憶されている情報を参照して所定の手続手段によって前記読取装置による前記有料コンテンツの読取りを許可する許可手段と
を設けたことを特徴とする情報管理システム。
【請求項１３】
前記禁止手段は、前記記憶媒体に備えられていることを特徴とする請求項１２記載の情報管理システム。
【請求項１４】
前記禁止手段は、前記読取装置に備えられていることを特徴とする請求項１２記載の情報管理システム。
【請求項１５】
前記無料コンテンツデータを前記所定の手続処理に応じて有料コンテンツデータに切り換える切換手段を前記記憶媒体に備えたことを特徴とする請求項１２記載の情報管理システム。
【請求項１６】
前記読取装置は、前記記憶媒体をインターネットを介してサーバシステムに接続する接続手段を備えていることを特徴とする請求項１２記載の情報管理システム。
【請求項１７】
半導体記憶部からなる第１の記憶部と動的記憶部からなる第２の記憶部とを有し、前記第２の記憶部には無料コンテンツデータと有料コンテンツデータが記憶されており、前記第１の記憶部には前記無料及び有料コンテンツデータを利用するための情報が記憶されている記憶媒体からデータを読み取る読取装置及びこの読取装置が接続可能であってセンターによって管理されるインターネット上のサーバシステムとで構成され、
前記記憶媒体と前記読取装置、及び前記サーバのいずれかに、
前記記憶媒体の第１の記憶部に記憶されている情報を参照して前記読取装置による前記無料コンテンツデータの読み取りは許可するが前記有料コンテンツデータは読取りを禁止する禁止手段と、
前記記憶媒体の第１の記憶部に記憶されている情報を参照して所定の手続処理によって前記読取装置による前記有料コンテンツの読取りを許可する許可手段と
を設けたことを特徴とする情報管理システム。
【請求項１８】
前記禁止手段は、前記サーバシステムに設けられていることを特徴とする請求項１７記載の情報管理システム。
【請求項１９】
前記手続処理は、前記センターに料金を支払うための処理であることを特徴とする請求項１７記載の情報管理システム。
【請求項２０】
前記手続処理は、前記読取装置から前記サーバシステムに認証データを入力することであることを特徴とする請求項１７記載の情報管理システム。
【手続補正３】
【補正対象書類名】明細書
【補正対象項目名】０００２
【補正方法】変更
【補正の内容】
【０００２】
本発明は、データ管理装置、データ読取装置及び情報管理システムに関する。
【手続補正４】
【補正対象書類名】明細書
【補正対象項目名】００１０
【補正方法】変更
【補正の内容】
【００１０】
本発明は、このような実状に鑑みてなされたものであり、ユーザが保存を要する情報やダウンロードしたコンテンツ等の各種データを簡単な記憶制御処理により管理することのできるデータ管理装置、データ読取装置及び情報管理システムを提供することを目的とするものである。
【手続補正５】
【補正対象書類名】明細書
【補正対象項目名】００１１
【補正方法】変更
【補正の内容】
【００１１】
【課題を解決するための手段】
前記課題を解決するために請求項１記載の発明は、半導体記憶部からなる第１の記憶部と、動的記憶部からなり固定データが記憶された第２の記憶部とを備えた記憶媒体にデータを記憶させるとともにデータを読み出すデータ管理装置であって、
前記記憶媒体をネットワークを介してインターネット上のサーバシステムに接続する接続手段と、
前記第１の記憶部に前記サーバシステムから読み込んだ前記固定データに関連付けられた変動データを記憶させる記憶制御手段と、
前記第２の記憶部から前記変動データに対応する前記固定データを読み出す読出手段とを備える。
【手続補正６】
【補正対象書類名】明細書
【補正対象項目名】００１３
【補正方法】変更
【補正の内容】
【００１３】
また、請求項２記載の発明は、半導体記憶部からなる第１の記憶部と、動的記憶部からなりコンテンツデータが記憶された第２の記憶部とを備えた記憶媒体にデータを記憶させるとともにデータを読み出すデータ管理装置であって、前記第１の記憶部に前記コンテンツデータに関連付けられた検索用データを記憶させる記憶制御手段と、前記第２の記憶部から前記検索用データに対応する前記コンテンツデータを読み出す読出手段とを備える。
【手続補正７】
【補正対象書類名】明細書
【補正対象項目名】００１５
【補正方法】変更
【補正の内容】
【００１５】
また、請求項３記載の発明は、半導体記憶部からなり情報を記憶する第１の記憶部と、動的記憶部からなり詳細データが記憶された第２の記憶部とを備えた記憶媒体にデータを記憶させるとともにデータを読み出すデータ管理装置であって、前記第１の記憶部に前記詳細データに関連付けられた見出し情報を記憶させる記憶制御手段と、前記第２の記憶部から前記見出し情報に対応する前記詳細データを読み出す読出手段とを備える。
【手続補正８】
【補正対象書類名】明細書
【補正対象項目名】００１７
【補正方法】変更
【補正の内容】
【００１７】
また、請求項４記載の発明は、半導体記憶部からなり情報を記憶する第１の記憶部と、動的記憶部からなり圧縮されていない高品位データが記憶された第２の記憶部とを備えた記憶媒体にデータを記憶させるとともにデータを読み出すデータ管理装置であって、前記第１の記憶部に、前記高品位データに関連付けられた圧縮データを記憶させる記憶制御手段と、前記第２の記憶部から前記圧縮データに対応する前記高品位データを読み出す読出手段とを備える。
【手続補正９】
【補正対象書類名】明細書
【補正対象項目名】００１９
【補正方法】変更
【補正の内容】
【００１９】
また、請求項５記載の発明は、半導体記憶部からなり情報を記憶する第１の記憶部と、動的記憶部からなり高品位画像データが記憶された第２の記憶部とを備えた記憶媒体にデータを記憶させるとともにデータを読み出すデータ管理装置であって、前記第１の記憶部に前記高品位画像データに関連付けられ、情報量を減じられたサムネイルデータを記憶させる記憶制御手段と、前記第２の記憶部から前記サムネイルデータに対応する前記高品位画像データを読み出す読出手段とを含む。
【手続補正１０】
【補正対象書類名】明細書
【補正対象項目名】００２０
【補正方法】変更
【補正の内容】
【００２０】
したがって、記憶媒体には高品位画像データに関連付けられたサムネイルデータを記憶させるのみでよく、記憶制御処理は簡単なものとなる。また、サムネイルデータに対応する高品位画像データを検索することが可能であることから、高品位画像データを管理可能な状態にすることができる。
また、請求項６記載の発明は、前記記憶制御手段は、前記第１の記憶部に記憶媒体のセキュリテイ情報を更に記憶させる。
【手続補正１１】
【補正対象書類名】明細書
【補正対象項目名】００２１
【補正方法】変更
【補正の内容】
【００２１】
また、請求項７記載の発明は、前記記憶媒体のセキュリテイ情報は、個人認証コード及び記憶媒体のコピー禁止情報を含む。
【手続補正１２】
【補正対象書類名】明細書
【補正対象項目名】００２２
【補正方法】変更
【補正の内容】
【００２２】
また、請求項８記載の発明は、記憶制御手段は、前記第１の記憶部に前記コンテンツデータのセキュリテイ情報を記憶させる。
【手続補正１３】
【補正対象書類名】明細書
【補正対象項目名】００２３
【補正方法】変更
【補正の内容】
【００２３】
また、請求項９記載の発明は、前記コンテンツデータのセキュリテイ情報は前記記憶媒体に記憶されているコンテンツのコピー禁止情報を含む。
【手続補正１４】
【補正対象書類名】明細書
【補正対象項目名】００２４
【補正方法】変更
【補正の内容】
【００２４】
また、請求項１０記載の発明は、半導体記憶部からなる第１の記憶部と動的記憶部からなる第２の記憶部とを有し、前記第２の記憶部には無料コンテンツデータと有料コンテンツデータが記憶されており、前記第１の記憶部には前記無料及び有料コンテンツデータを利用するための情報が記憶されている記憶媒体からデータを読み取るデータ読取装置であって、前記無料及び有料コンテンツデータを読み取り可能な読取手段と、前記記憶媒体の第１の記憶部に記憶されている情報を参照して前記有料コンテンツデータの前記読取手段による読み取りを禁止する禁止手段と、前記記憶媒体の第１の記憶部に記憶されている情報を参照して所定の手続処理に応じて前記有料コンテンツの前記読取手段による読み取りを許可する許可手段とを備える。
【手続補正１５】
【補正対象書類名】明細書
【補正対象項目名】００２５
【補正方法】変更
【補正の内容】
【００２５】
また、請求項１１記載の発明は、  前記記憶媒体を、インターネットを介してセンターのサーバシステムに接続する接続手段を備えている。
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】変更
【補正の内容】
【００２７】
また、請求項１２記載の発明は、半導体記憶部からなる第１の記憶部と動的記憶部からなる第２の記憶部とを有し、前記第２の記憶部には無料コンテンツデータと有料コンテンツデータが記憶されており、前記第１の記憶部には前記無料及び有料コンテンツデータを利用するための情報が記憶されている記憶媒体からデータを読み取る読取装置とで構成される情報管理システムであって、前記記憶媒体と前記読取装置のいずれか一方に、前記記憶媒体の第１の記憶部に記憶されている情報を参照して前記読取装置による前記無料コンテンツデータの読み取りは許可するが前記有料コンテンツデータは読取りを禁止する禁止手段と、前記記憶媒体の第１の記憶部に記憶されている情報を参照して所定の手続手段によって前記読取装置による前記有料コンテンツの読取りを許可する許可手段とを設けてある。
【手続補正１８】
【補正対象書類名】明細書
【補正対象項目名】００２８
【補正方法】変更
【補正の内容】
【００２８】
また、請求項１３記載の発明は、前記禁止手段は、前記記憶媒体に備えられている。
【手続補正１９】
【補正対象書類名】明細書
【補正対象項目名】００３０
【補正方法】変更
【補正の内容】
【００３０】
また、請求項１４記載の発明は、前記禁止手段は、前記読取装置に備えられている。
【手続補正２０】
【補正対象書類名】明細書
【補正対象項目名】００３１
【補正方法】変更
【補正の内容】
【００３１】
また、請求項１５記載の発明は、前記無料コンテンツデータを前記所定の手続処理に応じて有料コンテンツデータに切り換える切換手段を前記記憶媒体に備えている。
【手続補正２１】
【補正対象書類名】明細書
【補正対象項目名】００３３
【補正方法】変更
【補正の内容】
【００３３】
また、請求項１６記載の発明は、前記読取装置は、前記記憶媒体をインターネットを介してサーバシステムに接続する接続手段を備えている。
また、請求項１７記載の発明は、半導体記憶部からなる第１の記憶部と動的記憶部からなる第２の記憶部とを有し、前記第２の記憶部には無料コンテンツデータと有料コンテンツデータが記憶されており、前記第１の記憶部には前記無料及び有料コンテンツデータを利用するための情報が記憶されている記憶媒体からデータを読み取る読取装置及びこの読取装置が接続可能であってセンターによって管理されるインターネット上のサーバシステムとで構成され、前記記憶媒体と前記読取装置、及び前記サーバのいずれかに、前記記憶媒体の第１の記憶部に記憶されている情報を参照して前記読取装置による前記無料コンテンツデータの読み取りは許可するが前記有料コンテンツデータは読取りを禁止する禁止手段と、前記記憶媒体の第１の記憶部に記憶されている情報を参照して所定の手続処理によって前記読取装置による前記有料コンテンツの読取りを許可する許可手段とを設けてある。
【手続補正２２】
【補正対象書類名】明細書
【補正対象項目名】００３４
【補正方法】変更
【補正の内容】
【００３４】
また、請求項１８記載の発明は、前記禁止手段は、前記サーバシステムに設けられている。
【手続補正２３】
【補正対象書類名】明細書
【補正対象項目名】００３５
【補正方法】変更
【補正の内容】
【００３５】
また、請求項１９記載の発明は、前記手続処理は、前記センターに料金を支払うための処理である。
【手続補正２４】
【補正対象書類名】明細書
【補正対象項目名】００３７
【補正方法】変更
【補正の内容】
【００３７】
また、請求項２０記載の発明は、前記手続処理は、前記読取装置から前記サーバシステムに認証データを入力することである。
【手続補正２５】
【補正対象書類名】明細書
【補正対象項目名】００３８
【補正方法】削除
【補正の内容】
【手続補正２６】
【補正対象書類名】明細書
【補正対象項目名】０２１８
【補正方法】変更
【補正の内容】
【０２１８】
【発明の効果】
以上説明したように、請求項１記載の発明によれば、記憶媒体には変動データを記憶させるのみでよく、記憶制御処理は簡単なものとなる。また、変動データは固定データに関連付けられるデータであることから、変動データに基づき固定データを読み出すことができるのであるから、固定データを管理可能な状態にすることができる。
【手続補正２７】
【補正対象書類名】明細書
【補正対象項目名】０２１９
【補正方法】変更
【補正の内容】
【０２１９】
また、請求項２記載の発明によれば、記憶媒体には検索用データを記憶させるのみでよく、記憶制御処理は簡単なものとなる。また、検索用データに基づきコンテンツデータを検索することが可能であることから、コンテンツデータを管理可能な状態にすることができる。
【手続補正２８】
【補正対象書類名】明細書
【補正対象項目名】０２２０
【補正方法】変更
【補正の内容】
【０２２０】
また、請求項３記載の発明によれば、記憶媒体には見出し情報を記憶させるのみでよく、記憶制御処理は簡単なものとなる。また、見出し情報に基づき詳細データを検索することが可能であることから、詳細データを管理可能な状態にすることができる。
【手続補正２９】
【補正対象書類名】明細書
【補正対象項目名】０２２１
【補正方法】変更
【補正の内容】
【０２２１】
また、請求項４記載の発明によれば、記憶媒体には高品質データに対応した圧縮データを記憶させるのみでよく、記憶制御処理は簡単なものとなる。また、圧縮データに対応する高品位データを検索することが可能であることから、高品位データを管理可能な状態にすることができる。
【手続補正３０】
【補正対象書類名】明細書
【補正対象項目名】０２２２
【補正方法】変更
【補正の内容】
【０２２２】
また、請求項６記載の発明によれば、セキュリテイ情報を記憶させるだけなので、記憶制御処理が複雑化することはなく、記憶媒体のセキュリテイやコンテンツデータのセキュリテイの確保が可能となる。
【手続補正３１】
【補正対象書類名】明細書
【補正対象項目名】０２２３
【補正方法】変更
【補正の内容】
【０２２３】
また、請求項１０〜２０記載の発明によれば、有料コンテンツデータと無料のコンテンツデータとが記憶媒体に記憶して配布し、有料コンテンツデータに関しては料金支払を条件に読み取りを可能にとするシステムを構築することができる。特に、請求項１２、１７記載の発明によれば、サーバシステムに格納されている情報をダウンロードして、この記憶媒体に記憶させることも可能となる。